(57)【要約】【課題】複数の係止対象物を着脱自在に係止するとともに、この係止装置を用いて、複数の衣服を装着することができるユニット衣服を提供する。【解決手段】係止具７により開閉自在にされた一対のメイン係止片５と、前記一対のメイン係止片に設けられた複数のサブ係止片６ａ、６ｂと、該サブ係止片の端部に設けられ、係止対象物３に係止される係止具７、８とからなる。【選択図】図１
2005036345.tif 000002
【特許請求の範囲】
【請求項１】
係止具により開閉自在にされた一対のメイン係止片と、前記一対のメイン係止片に設けられた複数のサブ係止片と、該サブ係止片の端部に設けられ、係止対象物に係止される係止具とからなることを特徴とする複数の係止具を備える係止装置。
【請求項２】
前記メイン係止片およびサブ係止片の係止具は、スライドファスナー、ベルベット式ファスナー、スナップ、ホック、ボタンとボタン穴、紐と紐通し穴、磁石、両面テープのいずれか一つからなることを特徴とする請求項１記載の複数の係止具を備える係止装置。
【請求項３】
係止具により開閉自在にされた一対のメイン係止片と、前記一対のメイン係止片に設けられた、複数の連結片を有する連結装置と、前記連結片に設けられた係止具と、該係止具に着脱自在に係止される複数のサブ係止片と、該サブ係止片の端部に設けられ、係止対象物に係止される係止具とからなることを特徴とする複数の係止具を備える係止装置。
【請求項４】
係止具により開閉自在にされた一対のメイン係止片と、前記一対のメイン係止片に着脱自在に係止された、複数の連結片を有する連結装置と、前記連結片に設けられた係止具と、該係止具に着脱自在に係止される複数のサブ係止片と、該サブ係止片の端部に設けられ、係止対象物に係止される係止具とからなることを特徴とする複数の係止具を備える係止装置。
【請求項５】
前記メイン係止片、サブ係止片および連結片の係止具は、スライドファスナー、ベルベット式ファスナー、スナップ、ホック、ボタンとボタン穴、紐と紐通し穴、磁石、両面テープのいずれか一つからなることを特徴とする請求項３または４に記載の複数の係止具を備える係止装置。
【請求項６】
前記メイン係止片の表面、裏面または表裏面に補強片を設けたことを特徴とする請求項１ないし５のいずれかに記載の複数の係止具を備える係止装置。
【請求項７】
前記請求項１ないし６のいずれかに記載の係止装置を用い、前記サブ係止片の係止具に係止対象物としての衣服の１つないし複数を係止させることを特徴とするユニット衣服。
【請求項８】
前記請求項１ないし６のいずれかに記載の係止装置を用い、前記メイン係止片にメイン衣服の前身頃の端部を固着し、前記サブ係止片の係止具に係止対象物としてのサブ衣服の１つないし複数を係止させることを特徴とするユニット衣服。
【請求項９】
前記請求項６に記載の係止装置を用い、前記補強片にメイン衣服の前身頃の端部を固着し、前記サブ係止片の係止具に係止対象物としてのサブ衣服の１つないし複数を係止させることを特徴とするユニット衣服。
【請求項１０】
前記サブ衣服はメイン衣服の上、下または上下に装着されることを特徴とする請求項８または９記載のユニット衣服。
【発明の詳細な説明】
【技術分野】
【０００１】
本発明は、複数の係止具を備える係止装置および該係止装置を用いたユニット衣服に関する。
【背景技術】
【０００２】
従来、例えば衣服の分野において、上着、コート、ズボン等のメイン衣服の上または下にサブ衣服を着脱可能にし、サブ衣服に、防寒、避暑、防水、透水性等の機能性を持たせたり、衣服を着用する人間の体を化学的、熱的、防弾などの衝撃から保護する特別の用途を付与したものが知られている（特許文献１参照）。この方式においては、メイン衣服の前部を開閉する第１のスライドファスナーと、メイン衣服の上または下にサブ衣服を着脱自在に装着するための第２のスライドファスナーとを備えている。
【特許文献１】特開平８−２４２９１１号公報
【発明の開示】
【発明が解決しようとする課題】
【０００３】
ところで、この種の衣服においては、メイン衣服に対して複数のサブ衣服を装着したいというニーズがあり、また、係止具としてスライドファスナーの他、ベルベット式ファスナー、ボタンなどを選択したいというニーズがある。これらを実現することができれば、機能、用途、係止具の異なる多数のサブ衣服から複数を組み合わせて、ユニット家具と同様にユニット衣服として商品化が可能となる。
【０００４】
しかしながら、上記特許文献１の方式においては、メイン衣服に対して１種類のサブ衣服しか装着することができないため、例えば防寒性と防水性、さらには特別の用途のサブ衣服を重ね着できないという問題を有している。また、メイン衣服に予め取付られている係止具に対応するサブ衣服しか選択することができないという問題を有している。
【０００５】
本発明は、上記従来の問題を解決するものであって、被係止対象物（例えばメイン衣服）に対して、複数の係止対象物（例えばサブ衣服）を着脱自在に係止することができる複数の係止具を備えた係止装置を提供することを目的とする。また、この係止装置を用いて、複数のサブ衣服を選択して装着することができるユニット衣服を提供することを目的とする。
【課題を解決するための手段】
【０００６】
上記目的を達成するために、本発明の複数の係止具を備えた係止装置は、係止具により開閉自在にされた一対のメイン係止片と、前記一対のメイン係止片に設けられた複数のサブ係止片と、該サブ係止片の端部に設けられ、係止対象物に係止される係止具とからなることを特徴とする。
【０００７】
また、係止具により開閉自在にされた一対のメイン係止片と、前記一対のメイン係止片に設けられた、複数の連結片を有する連結装置と、前記連結片に設けられた係止具と、該係止具に着脱自在に係止される複数のサブ係止片と、該サブ係止片の端部に設けられ、係止対象物に係止される係止具とからなることを特徴とする。
【０００８】
また、係止具により開閉自在にされた一対のメイン係止片と、前記一対のメイン係止片に着脱自在に係止された、複数の連結片を有する連結装置と、前記連結片に設けられた係止具と、該係止具に着脱自在に係止される複数のサブ係止片と、該サブ係止片の端部に設けられ、係止対象物に係止される係止具とからなることを特徴とする。
【０００９】
また、本発明のユニット衣服は、前記サブ係止片の係止具に係止対象物としての衣服の１つないし複数を係止させることを特徴とする。
【００１０】
また、本発明のユニット衣服は、前記メイン係止片にメイン衣服の前身頃の端部を固着し、前記サブ係止片の係止具に係止対象物としてのサブ衣服の１つないし複数を係止させることを特徴とする。
【００１１】
また、本発明のユニット衣服は、前記補強片にメイン衣服の前身頃の端部を固着し、前記サブ係止片の係止具に係止対象物としてのサブ衣服の１つないし複数を係止させることを特徴とする。
【発明の効果】
【００１２】
本発明の係止装置によれば、複数の係止対象物を着脱自在に係止することができるとともに、種々の係止具を選択することができる。また、この係止装置を用いて、複数の衣服を選択して装着することができるとともに、種々の係止具の付いた衣服を選択することができるユニット衣服を提供することが可能となる。
【発明を実施するための最良の形態】
【００１３】
以下、本発明の最良の形態を図面を参照しつつ説明する。図１は、本発明に係る係止装置を用いたユニット衣服の１実施形態を示し、図（Ａ）は正面図、図（Ｂ）は図（Ａ）のＢ部の拡大図である。本実施形態はユニット衣服を上着に適用した例である。
【００１４】
図（Ａ）において、ユニット衣服１は、被係止対象物となるメイン衣服２と、このメイン衣服２の下に装着され係止対象物となるサブ衣服３からなっている。メイン衣服２の前身頃２ａの両端部には、本発明に係る係止装置４が固着されている。
【００１５】
本実施形態の係止装置４は、図（Ｂ）に示すように、メイン衣服２の前身頃２ａの両端部に縫製、固着された一対のメイン係止片５、５と、このメイン係止片５、５に固着、または一体に設けられた複数のサブ係止片６ａ、６ｂからなり、一対のメイン係止片５の端部にはスライドファスナー７、７が設けられ、一対のサブ係止片６ａにはベルベット式ファスナー８、８が設けられ、一対のサブ係止片６ｂにはスライドファスナー７、７が設けられている。
【００１６】
そして、メイン係止片５に固着されたスライドファスナー７によりメイン衣服２の前身頃２ａが開閉自在にされ、一対のサブ係止片６ｂのスライドファスナー７、７を介してサブ衣服３の前身頃３ａが着脱自在にされている。なお、一対のサブ係止片６ａのベルベット式ファスナー８、８を介して他のサブ衣服（図示せず）の装着を可能にしている。また、メイン係止片５の裏側にメイン衣服２を固着することにより、メイン衣服２の上にサブ衣服３の１つ又は複数を装着することもできる。
【００１７】
図２は、図１の係止装置の変形例を示し、図（Ａ）は一部拡大正面図、図（Ｂ）は図（Ａ）の下側から見た図である。なお、以下の説明において前記形態と同一の構成については同一番号を付けて説明を省略する。図２の例は、サブ係止片６ｂの一方にボタン９ａ、他方にボタン穴９ｂを配設した例であり、更に、サブ係止片を３つ以上設ければ、係止具の種類を増加させることができるとともに、装着するサブ衣服３の種類を増加させることができる。
【００１８】
図３は、図１の係止装置の変形例を示し、図（Ａ）は一部拡大正面図、図（Ｂ）は図（Ａ）の下側から見た図、図（Ｃ）は一部拡大図である。図３の例は、メイン係止片５に補強片１０を設けている。図１（Ｂ）の例においてはメイン衣服２をメイン係止片５に直接、縫製しているが、メイン衣服２の前身頃２ａの端部に二股部２ｂを形成し、二股部２ｂの間に補強片１０を挿入し縫製することにより、メイン衣服２をメイン係止片５に強固に固着することができる。なお、この補強片１０は、後述する他の実施形態にも適用可能である。
【００１９】
図４は、本発明のユニット衣服をズボンに適用した例を示し、図（Ａ）は正面図、図（Ｂ）は側面図、図（Ｃ）は図（Ｂ）の下部の拡大図である。本例においては、メイン衣服２であるズボンの両足部の側方に、それぞれ係止装置４、４を設け、メイン衣服２の下にサブ衣服３を着脱自在にする構成を採用している。なお、ズボンの前側上部に設ける開閉部にも適用できる。
【００２０】
図５および図６は、本発明に係る係止装置の他の実施形態を示し、図５（Ａ）は係止装置を分解した一部拡大正面図、図５（Ｂ）は図５（Ａ）の下側から見た図、図５（Ｃ）はメイン衣服にサブ衣服を係止、装着した状態を示す図、図６は図５の連結装置１２の構造を示す図である。図１の実施形態においては、メイン係止片５にサブ係止片６ａ、６ｂを直接、固定しているが、本実施形態においては、サブ係止片６ａをメイン係止片５に着脱自在に構成している。これにより、より多くのサブ衣服および係止具を選択することが可能となる。
【００２１】
本実施形態の係止装置４は、メイン衣服２の前身頃２ａの両端部に縫製、固着された一対のメイン係止片５、５と、このメイン係止片５、５に固着、または一体に設けられた、複数の連結片１１を備える連結装置１２、１２とからなり、図６に示すように、複数の連結片１１の各先端には、嵌合突起１３ａと嵌合突起１３ａの裏側に一体に形成された嵌合凹部１３ｂを有するスナップ１３が固定されている。そして、一対のメイン係止片５、５の端部には図１と同様にスライドファスナー７、７が設けられ、一対のサブ係止片６ａ、６ａには前記スナップ１３が挿入できるスナップ穴１４が設けられ、端部にはスライドファスナー７、７が設けられている。
【００２２】
そして、２枚の連結片１１の間にサブ係止片６ａを差し込み、スナップ穴１４を介してスナップ１３を嵌合、固定することにより、サブ係止片６ａを連結装置１２を介してメイン係止片５に固定することができる。そして、メイン係止片５に設けたスライドファスナー７、７によりメイン衣服２の前身頃２ａが開閉自在にされ、一対のサブ係止片６ａのスライドファスナー７、７を介してサブ衣服３を着脱自在に装着することができる。なお、連結装置１２の各連結片１１の間には、複数のサブ係止片を固定することができる。
【００２３】
図７は、図５の実施形態の変形例を示す一部拡大正面図である。図５の例においてはサブ係止片６ａをスナップ１３により着脱自在に連結しているが、本例においてはサブ係止片６ａ（図示せず）と連結片１１にベルベット式ファスナー８を設けることにより着脱自在に連結している。本例においては一対のメイン係止片５の端部にベルベット式ファスナー８、８を設け、メイン衣服の開閉もベルベット式ファスナー８にしている。なお、メイン衣服２の開閉およびサブ係止片６ａの着脱は、スライドファスナー、ベルベット式ファスナー、スナップ、ホック、ボタンとボタン穴、紐と紐通し穴、磁石、両面テープ等のいずれの係止具でもよい。
【００２４】
図８は、本発明に係る係止装置の他の実施形態を説明するための図５と同様の図である。本実施形態においては、メイン係止片５にもスナップ穴１５を設け、連結片１１に設けたスナップ１３により連結装置１２を着脱自在に構成している。なお、本例においてはサブ係止片６ａにはボタン９ａ、ボタン穴９ｂを設けている。
【００２５】
図９は、図８の実施形態の変形例を示す一部拡大正面図である。図８の例においては連結装置１２をスナップ１３により着脱自在に連結しているが、本例においては、サブ係止片６ａ（図示せず）、連結片１１およびメイン係止片５にベルベット式ファスナー８を設けることにより、スナップ１３とベルベット式ファスナー８により着脱自在に連結している。なお、本例においても一対のメイン係止片５の端部にベルベット式ファスナー８、８を設け、メイン衣服の開閉もベルベット式ファスナー８にしている。このように、メイン衣服２の開閉およびサブ係止片６ａおよび連結装置１２の着脱は、スライドファスナー、ベルベット式ファスナー、スナップ、ホック、ボタンとボタン穴、紐と紐通し穴、磁石、両面テープ等のいずれの係止具でもよい。
【００２６】
図１０は、図８の実施形態の変形例を示す同様の図であり、図３の例と同様に補強片１０を設けている。本例においては、補強片１０をメイン係止片５の両側に設けるようにしている。無論、他の実施形態にも適用することができる。このようにメイン係止片の表面、裏面または表裏面に補強片を固着している。
【００２７】
以上、本発明を実施するための最良の形態について説明したが、本発明はこれに限定されるものではなく、種々の変更が可能である。例えば、上記形態においては、係止装置を衣服に適用しているが、布団、布団カバー、漁網、カーテンなど、布状または網状の対象物を重ねて係止する場合に適用してもよい。
【００２８】
また、上記各実施形態においては、メイン係止片５にメイン衣服２を固着してるが、メイン衣服２をサブ係止片６ａ、６ｂに係止するようにしてもよい。この場合、メイン衣服２とサブ衣服３の区別はなくなるので、本発明においては両者を併せて単に衣服（係止対象物）と定義している。
【図面の簡単な説明】
【００２９】
【図１】本発明に係る係止装置を用いたユニット衣服の１実施形態を説明するための図である。
【図２】図１の係止装置の変形例を説明するための図である。
【図３】図１の係止装置の変形例を説明するための図である。
【図４】本発明のユニット衣服の他の実施形態を説明するための図である。
【図５】本発明に係る係止装置の他の実施形態を説明するための図である。
【図６】図５の連結装置を説明するための図である。
【図７】図５の変形例を説明するための図である。
【図８】本発明に係る係止装置の他の実施形態を説明するための図である。
【図９】図８の変形例を説明するための図である。
【図１０】図８の変形例を説明するための図である。
【符号の説明】
【００３０】
１…ユニット衣服、２…メイン衣服、２ａ…前身頃
３…係止対象物（サブ衣服）、４…係止装置、５…メイン係止片
６ａ、６ｂ…サブ係止片、７…スライドファスナー
８…ベルベット式ファスナー、９ａ…ボタン、９ｂ…ボタン穴、１０…補強片
１１…連結片、１２…連結装置、１３…スナップ
【図１】
2005036345.tif 000003
【図２】
2005036345.tif 000004
【図３】
2005036345.tif 000005
【図４】
2005036345.tif 000006
【図５】
2005036345.tif 000007
【図６】
2005036345.tif 000008
【図７】
2005036345.tif 000009
【図８】
2005036345.tif 000010
【図９】
2005036345.tif 000011
【図１０】
2005036345.tif 000012